(57)【要約】      （修正有）【課題】頸椎椎間板の歪み、ズレ、湾曲が矯正され、首や肩のこりを取り除くと共に鼾をかくことを防止できる枕を提供する。【解決手段】枕本体２の頭部載置部の左右に頭部移動制止突起２１，２１を直立して設ける。頭部載置部は後頭部を載置する後頭部載置部２２１と頸椎を載置する頸椎載置部２２２とより構成し、頸椎載置部２２２の高さを後頭部載置部２２１の高さよりも高くする。その結果、頭部載置部に頭を載せて横臥すると、左右の頭部移動制止突起２１，２１により、頭が左右に傾くのを防ぎ、頸椎載置部２２２の高さが後頭部載置部２２１の高さよりも高く成っているので頸椎が上に持ち上げられて、上気道が自然に開き、鼾をかかなくなる。【選択図】図４
0003200200.tif 000002
【実用新案登録請求の範囲】
【請求項１】
低反発弾性体で形成した枕本体と該枕本体に着脱自在に取り付けられた低反発弾性体で形
成した背中マットよりなり、上記枕本体は偏平な頭部載置台と該頭部載置部の左右に直立
して設けられた頭部移動制止突起とよりなり、上記頭部載置台は後頭部を載置する後頭部
載置部と頸椎を載置する頸椎載置部とよりなり、上記頸椎載置部の高さを上記後頭部載置
部の高さよりも高く構成したことを特徴とする枕。
【請求項２】
上記頭部移動制止突起の上面は、上記後頭部載置部に対応する部分は低く上記頸椎載置部
に対応する部は高い波状に形成されていることを特徴とする請求項１記載の枕。
【請求項３】
上記枕本体の頭部載置台と上記頭部移動制止突起は低反発弾性体で一体的に形成されてい
ることを特徴とする請求項１記載の枕。
【請求項４】
上記頭部移動制止突起に少なくとも１つ以上の通気用の貫通孔を設けたことを特徴とする
請求項１記載の枕。
【請求項５】
上記枕本体の下面に上記頭部移動制止突起の下に位置するように左右２本の高さ調整棒を
設けたことを特徴とする請求項１の枕。
【請求項６】
上記背中マットは方形の板状体よりなることを特徴とする請求項１記載の枕。
【請求項７】
上記背中マットは連結紐の先端に設けられた面ファスナーによって上記枕本体に着脱自在
に取り付けられることを特徴とする請求項１記載の枕。
【請求項８】
上部低反発弾性体は発泡ポリウレタン樹脂であることを特徴とする請求項１記載の枕。
【請求項９】
上記枕本体および上記背中マットはそれぞれ、布製のカバーで被覆されていることを特徴
とする請求項１の枕。
【請求項１０】
上記枕本体の布製のカバーに上記高さ調整棒を収容する袋を設けたことを特徴とする請求
項９記載の枕。
【考案の詳細な説明】
【技術分野】
【０００１】
本考案は、頸椎椎間板の歪み、ズレ、湾曲が矯正され、首や肩のこりを取り除くと共に
鼾をかくことを防止できる枕に関する。
【背景技術】
【０００２】
睡眠中に首や肩のこりや腰痛を取り除くことが出来る寝具は今まで多数提案されている
。
【０００３】
例えば、特開２００４−１８７８１４号公報には、仰臥して睡眠や休息を取る場合、胸
部前すぼみ体形と胸椎の屈曲および腰椎の屈曲を防止するための枕に関し、頭部に首枕部
を、中央に突出する背骨台を、左右に体側保持部をそれぞれ設け、上向きに寝ころんだ人
体の頭部に首枕部が、背骨部分に背骨台がそれぞれ当たり、体の左右の横腹は左右の体側
保持部に当接して体の左右への移動を止めている。
【特許文献１】特開２００４−１８７８１４号公報
【考案の開示】
【考案が解決しようとする課題】
【０００４】
上記特開２００４−１８７８１４号公報記載の発明は、頭部は首枕部に、体の左右は左
右の体側保持部によってそれぞれ固定されているので、寝返りをうつことも儘ならず、返
って肩のこりを誘発する可能性がある。
【課題を解決するための手段】
【０００５】
本考案は、頸椎椎間板の歪み、ズレ、湾曲が矯正され、首や肩のこりを取り除くと共に
鼾をかくことを防止できる枕を提供することを目的とする。
【０００６】
頸椎椎間板の歪み、ズレ、湾曲は、頭と首が真っ直ぐに成っていないことによって起こ
る。長年の癖で首に対して頭が曲がっていると頸椎椎間板がずれて肩こりや頭痛が起こる
。
【０００７】
鼾も同様に寝たときに首と頭がねじれたり、曲がっていると鼻から咽頭にいたる上気道
が狭められ、鼾をかく原因になる。
それを防止するためには、頭と首を真っ直ぐにし、首のそりを若干強くすれば、上気道
が広がり、鼾をかかなくなる。
【０００８】
寝ている間にそのような姿勢をとるために、本考案の枕は、低反発弾性体で形成した枕
本体と該枕本体に着脱自在に取り付けられた低反発弾性体で形成した背中マットよりなり
、上記枕本体は偏平な頭部載置台と該頭部載置部の左右に直立して設けられた頭部移動制
止突起とよりなり、上記頭部載置台は後頭部を載置する後頭部載置部と頸椎を載置する頸
椎載置部とよりなり、上記頸椎載置部の高さを上記後頭部載置部の高さよりも高く構成し
た。
【０００９】
低反発弾性体としては発泡ポリウレタン樹脂が好ましく使用出来る。また、上記頭部移
動制止突起の上面は、上記後頭部載置部に対応する部分は低く上記頸椎載置部に対応する
部は高い波状に形成されている。
【００１０】
上記枕本体の頭部載置台と上記頭部移動制止突起は、発泡ポリウレタン樹脂等の低反発
弾性体で一体的に形成されている。
また、上記頭部移動制止突起には少なくとも１つ以上の通気用の貫通孔を設けることが
好ましい。
【００１１】
上記背中マットは方形の板状体よりなり、枕本体に固定的に連結してもよいが、収納な
ど便宜のために連結紐の先端に設けられた面ファスナーによって枕本体に着脱自在に取り
付けることが望ましい。
【００１２】
上記枕本体および上記背中マットはそれぞれ、布製のカバーで被覆することが望ましい。
布製カバーにスライドファスナーを取り付ければ、カバーの着脱に便利である。
【００１３】
上記枕本体の下面に上記頭部移動制止突起の下に位置するように左右２本の高さ調整棒
を設け、上記頭部移動制止突起を内側に傾くようにすれば、頭部の左右への移動を更に防
止することが出来る。この調製棒の使用及びその高さは個人の好み、症状によって経験的
に選択する。従って、この調製棒を枕本体の下面に固定的に接合してもよいが、枕本体の
布製のカバーにこの高さ調整棒を収容する袋を設ければ、任意の高さの調製棒を簡単に取
り替えて使用することが出来る。
【考案の効果】
【００１４】
（１）本考案の枕は、低反発弾性体で形成した枕本体と該枕本体に着脱自在に取り付けら
れた低反発弾性体で形成した背中マットよりなり、上記枕本体は偏平な頭部載置台と該頭
部載置部の左右に直立して設けられた頭部移動制止突起とよりなり、上記頭部載置台は後
頭部を載置する後頭部載置部と頸椎を載置する頸椎載置部とよりなり、上記後頭部載置部
の高さを上記頸椎載置部の高さよりも低く構成されているので、左右の頭部移動制止突起
で頭部を挟み、頭部が左右に曲がるのを防ぎ、寝ている間に、頸椎椎間板の歪み、ズレ、
湾曲が矯正され、首や肩のこりを取り除くことが出来る。
【００１５】
この考案の枕は、左右に設けられた頭部移動制止突起によって頭が首に対して真っ直
ぐに維持され、さらに、頸椎載置部の高さが後頭部載置部の高さよりも高く構成されてい
るので、寝た時に喉が上に曲がり上気道を開く作用をするので、呼吸がしやすくなり、そ
の結果、鼾をかくことを防止することができる。
【００１６】
本考案の枕は、低反発弾性体で形成した枕本体に低反発弾性体で形成した背中マットが
着脱自在に連結されているので、この背中マットに背中を載せて寝ると自然に胸が開く作
用をして、背骨がまっすぐに成ると同時に、上気道が開いて呼吸の通りが容易になり、鼾
をかかなくなる。
【考案を実施するための最良の形態】
【００１７】
本考案を実施するための最良の形態を実施例によって説明する。
【実施例１】
【００１８】
図１乃至図５は、本考案の枕１を示すもので、枕１は、発泡ポリウレタン樹脂製の枕本
体２と、発泡ポリウレタン樹脂製の背中マット３より成る。枕本体２は偏平な頭部載置台
２２とその左右に直立した頭部移動制止突起２１，２１とよりなり、頭部載置台２２は後
頭部を載置する後頭部載置台２２１と頸椎を載置する頸椎載置部２２２よりなる。そして
頸椎載置部２２２の高さを後頭部載置台２２１の高さよりも高く構成されている。 
【００１９】
背中マット３は方形の板状体よりなり、その厚みは枕本体２の頭部載置台２２とほぼ同
じ厚みを有する。背中マット３は枕本体２に連結紐４で結合されている。連結紐４の先端
には面ファスナー[通称マジックファスナー（登録商標）]
４１が取り付けられており、枕本体２に取り付けられた面ファスナーによって着脱自在に
取り付けられる。連結紐４の他端４２は背中マット３に開けられた穴３１に通して固定さ
れている。
【００２０】
枕本体２は布製のカバー６（図８）によって被覆されている。そのためにはスライドフ
ァスナー付きの袋状のカバーを使用すれば便利である。
背中マット３も同様にスライドファスナー付きの袋状のカバーによって被覆されている
。
【００２１】
頭部移動制止突起２１は図示のように上面が波上に形成されている。頬に当たる部分は
高く、頭頂部分は低くされている。頬部分を高くしたのはある程度頭の左右への傾斜を防
ぐためであり、頭頂部分を低くしたのは圧迫感をなくすためとデザイン性を顧慮したもの
である。
【００２２】
本考案の枕のサイズは、長年の経験から得たデータとして次のサイズを推奨する。枕本
体２の全横幅５３ｃｍ、左右の頭部移動制止突起２１の横幅各１８ｃｍ、頭部載置台２２
の横幅１７ｃｍ、枕本体の縦幅３２ｃｍ、頭部移動制止突起２１の高さ１０ｃｍ、後頭部
載置台２２１の高さ４ｃｍ、頸椎載置部２２２の高さ５ｃｍ、背中マット３の横幅１７ｃ
ｍ、縦幅３０ｃｍ、高さ５ｃｍ。
このサイズは個人の体格や症状によって多少変更することが出来る。
【実施例２】
【００２３】
図６，図７は他の実施例の枕を示すもので、左右の頭部移動制止突起２１，２１には多
数の横孔が設けられている。この横穴は通風孔２３で、夏など暑い時期には風通しをよく
して頭部を冷やすためのもである。この通風口は図示のように横孔として設けたが、縦孔
として設けてもよい。
【００２４】
さらにこの実施例では、図示のように、左右の頭部移動制止突起２１の下にそれぞれ、
細長い角棒の形状をした高さ調整棒５が設けられている。この高さ調整棒５は図７に図示
されているように、頭部移動制止突起２１の下に接合して固定的に設けてもよいが、図８
に示すように、枕本体２を被覆する布製カバー６の下に袋状のポケット７を設け、そのポ
ケット７に高さ調整棒５を挿入してもよい。この方法によれば、高さの異なる高さ調整棒
５を選択して使用することが出来る。そのためにはポケット７の材質に伸縮性のある布地
を使用すれば便利であろう。
【００２５】
図９に高さ調整棒５の使用方法を示す。左右の頭部移動制止突起２１、２１の下にそれ
ぞれ高さ調整棒５を取り付けた状態で、枕１の頭部載置台２２に頭部９を当てて寝ると、
頭部載置台２２は図のように下に凹み、左右の頭部移動制止突起２１、２１はそれぞれ内
側に傾き、頬の部分に当たって，頭部９が左右に傾くのを制止する。このようにして、頭
と首を真っ直ぐにして寝れば、頸椎椎間板のずれが自然に治り、また、鼾をかかなくなる
。図中１０はベッドを示す。
【図面の簡単な説明】
【００２６】
【図１】本考案の実施例の枕の平面図。
【図２】図１の裏面図。
【図３】図１の側面図。
【図４】本考案の枕本体の斜面図。
【図５】図４のＡ−Ａ線断面図。
【図６】本考案の他の実施例の枕本体の斜面図。
【図７】図６のＢ−Ｂ線断面図。
【図８】本考案の枕本体に布製カバーを被せた場合の断面図。
【図９】本考案の枕の使用状態を示す説明図。
【符号の説明】
【００２７】
１  枕
２  枕本体
２１  頭部移動制止突起
２２  頭部載置台
２２１  後頭部載置台
２２２  頸椎載置部
３  背中マット
４  連結紐
【図１】
0003200200.tif 000003
【図２】
0003200200.tif 000004
【図３】
0003200200.tif 000005
【図４】
0003200200.tif 000006
【図５】
0003200200.tif 000007
【図６】
0003200200.tif 000008
【図７】
0003200200.tif 000009
【図８】
0003200200.tif 000010
【図９】
0003200200.tif 000011